(57)【特許請求の範囲】
【請求項１】
石油を燃焼して冷媒を加熱する石油冷媒加熱機と、
室外空気と冷媒との熱交換を行う室外熱交換器と、
冷媒と室内空気との熱交換を行う室内熱交換器と、
冷媒を循環させる圧縮機と、
冷媒の循環路を前記室外熱交換器または石油冷媒加熱機のいずれかに切り替える第１，第２の開閉弁と、
外気温を検出する外気温センサと、
前記外気温センサからの外気温信号に応じて前記第１，第２の開閉弁を開閉制御すると共に外気温が所定値より高い場合は冷媒の循環路を室外熱交換器に切り替えてヒートポンプ運転とする一方、外気温が所定値より低い場合は冷媒の循環路を石油冷媒加熱機に切り替えて冷媒加熱運転とする運転制御手段とを具備し、
ヒートポンプ運転時には、前記第１の開閉弁を閉、第２の開閉弁を開として前記室外熱交換器に冷媒が流れる循環路に切り替え、
冷媒加熱運転時には、前記第１の開閉弁を開、第２の開閉弁を閉として前記石油冷媒加熱機に冷媒が流れる循環路に切り替え、
ヒートポンプ運転から冷媒加熱運転持には、前記第１，第２の開閉弁を閉じて室内熱交換器側に冷媒を回収した後、前記第１の開閉弁を開として前記石油冷媒加熱機に冷媒が流れる循環路に切り替え、
冷媒加熱運転からヒートポンプ運転時には、前記石油冷媒加熱機の燃焼停止後、前記第１の開閉弁を閉、第２の開閉弁を開として前記室外熱交換器に冷媒が流れる循環路に切り替えることを特徴とする空気調和装置。
【請求項２】
前記室外熱交換器と前記石油冷媒加熱機は、並列接続の外に直列に切り替え可能に接続される一方、前記室外熱交換器の霜の付着を検出する着霜検出手段を有し、ヒートポンプ運転時に前記着霜検出手段にて着霜を検出した時、その着霜検出手段からの検出信号に応じて前記室外熱交換器と前記石油冷媒加熱機とを直列接続とした除霜運転を行うことを特徴とする請求項１記載の空気調和装置。
【請求項３】
前記石油冷媒加熱機は、ヒートポンプ運転から冷媒加熱運転への切り替え時に、直接圧縮機へ冷媒が流れる循環路を有していることを特徴とする請求項１記載の空気調和装置。
【発明の詳細な説明】
【０００１】
【発明の属する技術分野】
本発明は、暖房時に冷媒を加熱する石油冷媒加熱機を備えた空気調和装置に関する。
【０００２】
【従来の技術】
近年、ヒートポンプ式を主体とした空調機市場は、省エネ化、高暖房化が一層進んだ機種が数多く発売されるようになっている。
【０００３】
省エネ化に関しては、圧縮機、送風機、熱交換器などの性能を向上して、蒸発温度と凝縮温度の差を小さくし、冷凍サイクルの入力を下げる努力がなされている。
【０００４】
高暖房化においては、蓄熱利用、液インジェクションの利用、圧縮機入力の効率向上などで、低外気温時においても高暖房能力を発揮できるようになってきた。
【０００５】
一方、冬場の外気温度が低くなる寒冷地においては、石油あるいはガスなどの燃焼熱源で冷媒を加熱、蒸発して暖房運転を行う冷媒加熱式の空調機も市場に登場している。
【０００６】
【発明が解決しようとする課題】
しかしながら、ヒートポンプ式が空気熱源を汲み上げ利用する原理である以上、冷媒の蒸発温度は外の空気温度以下にならざるを得ず、外気温度が低い場合は着霜、あるいは冷媒循環量の低下によって、暖房能力が低下するなどの問題が残されている。
【０００７】
また冷媒加熱式では、圧縮機を用いて、加熱蒸発した冷媒を循環させる機器が一般的であり、ガスポンプとしての圧縮機の入力が比較的高いため、高暖房能力を発揮できるものの維持費用は決して安くならない。特に、ガス燃焼による冷媒加熱方式においては、ガス代が高価な上に電気代も必要となる。したがって、ガスに代えて石油を燃料とする冷媒加熱方式の方が、維持費用を比較的安くできる。
【０００８】
反面、外気温度が高い条件下では、ガスまたは石油燃料による冷媒加熱方式に比べて、ヒートポンプ式の方が十分に暖房能力を発揮できると共に暖房費が安くなる。
【０００９】
本発明は、ヒートポンプ式と石油冷媒加熱式の特徴を生かし、暖房サイクルでは、空気熱源によるヒートポンプ運転と石油熱源による冷媒加熱運転とを、経済性と快適性とを考慮した上で切り替え、暖房時のランニングコストを低減すると共に快適性を向上させた空気調和装置を提供することを目的とする。
【００１０】
【課題を解決するための手段】
上述の課題を解決するため、本発明の請求項１に記載の空気調和装置は、石油を燃焼して冷媒を加熱する石油冷媒加熱機と、
室外空気と冷媒との熱交換を行う室外熱交換器と、
冷媒と室内空気との熱交換を行う室内熱交換器と、
冷媒を循環させる圧縮機と、
冷媒の循環路を前記室外熱交換器または石油冷媒加熱機のいずれかに切り替える第１，第２の開閉弁と、
外気温を検出する外気温センサと、
前記外気温センサからの外気温信号に応じて前記第１，第２の開閉弁を開閉制御すると共に外気温が所定値より高い場合は冷媒の循環路を室外熱交換器に切り替えてヒートポンプ運転とする一方、外気温が所定値より低い場合は冷媒の循環路を石油冷媒加熱機に切り替えて冷媒加熱運転とする運転制御手段とを具備し、
ヒートポンプ運転時には、前記第１の開閉弁を閉、第２の開閉弁を開として前記室外熱交換器に冷媒が流れる循環路に切り替え、
冷媒加熱運転時には、前記第１の開閉弁を開、第２の開閉弁を閉として前記石油冷媒加熱機に冷媒が流れる循環路に切り替え、
ヒートポンプ運転から冷媒加熱運転持には、前記第１，第２の開閉弁を閉じて室内熱交換器側に冷媒を回収した後、前記第１の開閉弁を開として前記石油冷媒加熱機に冷媒が流れる循環路に切り替え、
冷媒加熱運転からヒートポンプ運転時には、前記石油冷媒加熱機の燃焼停止後、前記第１の開閉弁を閉、第２の開閉弁を開として前記室外熱交換器に冷媒が流れる循環路に切り替えることを特徴とする。
【００１１】
以上の構成によって、外気温センサからの外気温信号に応じて、ヒートポンプ運転と冷媒加熱運転とを切り替えるので、低外気温時の高暖房能力の実現および暖房時のランニングコストを低減することができると共に、運転時に応じて冷媒の流路を切り替えるので、装置の配管を簡素化できる。
【００１７】
また、第１の開閉弁と第２の開閉弁による開又、閉の組合せ制御によって、冷媒を室内機側に回収した後、又は、石油冷媒加熱機の燃焼停止後に、ヒートポンプ運転から冷媒加熱運転に切り替えるので、簡素な配管で冷媒を確保してスムーズに運転切り替えできる。
【００２４】
本発明の請求項２に記載の空気調和装置は、前記室外熱交換器と前記石油冷媒加熱機は、並列接続の外に直列に切り替え可能に接続される一方、前記室外熱交換器の霜の付着を検出する着霜検出手段を有し、ヒートポンプ運転時に前記着霜検出手段にて着霜を検出した時、その着霜検出手段からの検出信号に応じて前記室外熱交換器と前記石油冷媒加熱機とを直列接続とした除霜運転を行うことを特徴とする。
【００２５】
以上の構成によって、霜を検出した際、除霜運転制御するので、室外熱交換器の着霜を解消できる。また、ヒートポンプ運転時に着霜を検出した場合でも、室外熱交換器と石油冷媒加熱機とを直列接続として、除霜運転を行うので、室外熱交換器に着霜したときでも、連続暖房運転を維持できる。
【００２８】
本発明の請求項３に記載の空気調和装置は、前記石油冷媒加熱機は、ヒートポンプ運転から冷媒加熱運転への切り替え時に、直接圧縮機へ冷媒が流れる循環路を有していることを特徴とする。
【００２９】
以上の構成によって、石油冷媒加熱機から室外熱交換器に冷媒を流して冷媒加熱運転を行った後、石油冷媒加熱機から直接圧縮機に冷媒を流すことによってヒートポンプ運転から冷媒加熱運転に切り替えるので、冷媒回収をせずに運転の切り替えができる。
【００３８】
【発明の実施の形態】
以下、図面を参照して本発明の実施の形態を詳細に説明する。
【００３９】
図１は、本発明の空気調和装置に係る第１の実施の形態の構成図である。ここで実線による接続は冷媒の流れ、破線による接続は、制御信号の流れを示す。圧縮機１からの冷媒配管は、四方弁２を経由して室内熱交換器３に接続される。室内熱交換器３からの冷媒配管は電子膨張弁４を経由した後、二方向に分岐し、一方は二方弁５（第１の開閉弁）を経由して石油冷媒加熱機７に接続され、他方は二方弁６（第２の開閉弁）を経由して室外熱交換器８に接続される。石油冷媒加熱機７からの冷媒配管は、圧縮機１に接続され、室外熱交換器８からの冷媒配管は、四方弁２および逆止弁９を経由して圧縮機１に戻る。また、二方弁６と圧縮機１との間にキャピラリチューブ１２および二方弁１３が接続されている。運転制御部１０は、外気温センサ１１からの外気温信号に応じて、運転制御を行う。
【００４０】
次に運転制御部１０の運転制御動作を説明する。装置起動後、石油冷媒加熱機７の燃焼用気化器の温度がヒータ予熱によって設定温度に達すると、冷媒回収運転を開始する。冷媒回収は、冷媒が冷媒配管を実線矢印方向に流れるように四方弁２を設定し、二方弁５，６を閉じて、圧縮機１を運転し、石油冷媒加熱機７および室外熱交換器８に貯まっていた冷媒を室内熱交換器３および配管途中に回収する。冷媒回収を終了すると、二方弁５を開け、燃料である灯油の着火が行われ、石油冷媒加熱による暖房運転を開始する。石油冷媒加熱機７の入口および出口の温度（あるいは圧縮機１の吸い込み温度）をセンサで検出し、石油冷媒加熱機７で蒸発した冷媒の過熱度が一定になるように、電子膨張弁４にて冷媒の流れを制御する。
【００４１】
ところで図２は、ある寒冷地における従来の灯油を用いた石油冷媒加熱単独運転およびヒートポンプ単独運転の外気温度に対する暖房運転費の一例を示したものである。この場合、年間の総暖房費は、各外気温度１℃ごとの暖房費を積分して求められ、石油冷媒加熱単独運転の場合で約５０,０００円、ヒートポンプ単独運転の場合で約５４,０００円である。
【００４２】
年間暖房費は、寒冷地における外気温度とその継続時間、建物負荷、ヒートポンプおよび冷媒加熱機器の性能などに左右されるため、より暖房費算出の精度を高めるためには、あらかじめ設置場所や機器性能を考慮した暖房運転費の算出が必要である。暖房運転費の算出方法としては、例えばＪＩＳ  Ｃ  ９６１２に基づいた方法、あるいは、公に認められている空調負荷を考慮した計算方法でもよいが、機器性能はより精度を高めるため、外気温度を変えた暖房性能試験結果を用いる方法がより良いと考えられる。
【００４３】
図２の例の場合、ヒートポンプ運転では外気温に応じて暖房能力が左右されるので、外気温度が１℃以上ではヒートポンプ運転、１℃未満では冷媒加熱運転の方が暖房費が安くなる。従って、維持費用を最小化するためには、１℃でヒートポンプ運転と冷媒加熱運転とを切り替えるハイブリッド運転を行えば、ランニングコストを低減できる。ただし、ヒートポンプ運転では、外気温が５℃付近で室外熱交換器に着霜が始まり、除霜運転を必要とするので、暖房の快適性を考慮した場合、除霜運転を行う間の暖房運転の休止は、できるだけ避けた方が望ましい。したがって、ハイブリッド運転では、暖房の快適性を考慮して切り替え温度を１℃ではなく、多少高めに設定して暖房の休止を無くし、ある程度のランニングコスト低減を可能とする。
【００４４】
そこで、本実施の形態では、ヒートポンプ運転における実際の着霜温度が約５℃であることを考慮して、図３に示すように運転を開始した際に、外気温度が低いときは冷媒加熱運転を行い、その後、外気温度が上昇して７℃になるとヒートポンプ運転に切り替える。外気温度が７℃以上のときはヒートポンプ運転を継続して行い、外気温度が下がり５℃以下になると冷媒加熱運転に切り替える。外気温度の上昇時と下降時とで運転の切り替え温度を変えることによって、制御の安定性と快適性とを向上させることができる。
【００４５】
図１に示す本実施の形態の空気調和装置では、暖房運転起動時、外気温に関係なく冷媒加熱運転を優先して立ち上げる。このとき、外気温センサ１１の示す外気温度が７℃以下では、冷媒加熱運転をそのまま継続する。一方、暖房運転を立ち上げたとき、すでに外気温度が７℃を越えている場合は、起動から一定時間後に冷媒加熱運転からヒートポンプ運転に切り替える。その運転切り替えは、圧縮機１の運転を継続したまま、石油冷媒加熱機７の燃焼を停止後、二方弁５を閉じ、二方弁６を開け、冷媒の流れを室外熱交換器８側に切り替える。室外熱交換器８の入口および出口の温度（あるいは圧縮機１の吸い込み温度）をセンサで検出し、室外熱交換器８で蒸発した冷媒の過熱度が一定になるように、電子膨張弁４にて冷媒の流量を制御する。
【００４６】
ヒートポンプ運転時に、着霜検出器（図示せず）にて室外熱交換器８の着霜を検出したら、二方弁１３を開いて高温の圧縮機吐出ガスを室外熱交換器８の入口に戻し、除霜運転を行う。
【００４７】
外気温が低下し、５℃以下になった場合、ヒートポンプ運転から冷媒加熱運転に切り替える。その運転切り替えは、起動時の制御とほぼ同様である。すなわち、圧縮機１を運転中に、二方弁５および二方弁６を閉じ、石油冷媒加熱機７および室外熱交換器８に溜まっていた冷媒を、室内熱交換器３および配管途中に回収する。石油冷媒加熱機７の燃焼用気化器は、予熱時間を考慮し、冷媒回収の開始と同時、あるいはそれ以前に、ヒータによって予熱を開始する。
【００４８】
冷媒回収が終了すると、二方弁５を開ける。冷媒回収終了後、石油冷媒加熱機７の燃焼用気化器の温度が設定温度に達していると、燃料である灯油の着火が行われ、石油冷媒加熱による暖房運転を開始する。石油冷媒加熱機７の入口および出口の温度をセンサで検出し、石油冷媒加熱機７で蒸発した冷媒の過熱度が一定になるように、電子膨張弁４にて冷媒の流量を制御する。
【００４９】
このヒートポンプから冷媒加熱への運転切り替えが、起動時の冷媒加熱運転と比べて異なる点は、前者が冷媒回収時にも、室内機の送風機が室内熱交換器温度に応じて回転し、暖房運転を継続することである。
【００５０】
本実施の形態では、暖房起動時に冷媒加熱運転を行うが、石油残量検出器（図示せず）が石油残量が少なくなったことを検出したときは、ヒートポンプ運転を行う。また、石油冷媒加熱機７に故障が生じ冷媒加熱運転を行うことが困難な場合は、緊急避難運転として強制的にヒートポンプ運転を行う。強制運転指示は、リモコンあるいは室内機に備えたスイッチを操作することによって行う。低外気温度で高多湿時に、室外熱交換器８に着霜が生じた場合の除霜は、二方弁１３を開いて高温の圧縮機吐出ガスを室外熱交換器８の入口に戻して除霜運転を行う。
【００５１】
なお、この除霜運転は、四方弁２を反転させて高温の圧縮機吐出ガスを室外熱交換器８へ戻す構成に変更しても良い。この場合は、図１に示すキャピラリチューブ１２、二方弁１３およびそれらを接続する配管を無くすことができるので、サイクル構成の簡素化並びにコスト低減が図れる。
【００５２】
次に図４は、本発明の空気調和装置に係る第２の実施の形態の構成図である。ここで実線による接続は冷媒の流れ、破線による接続は、制御信号の流れを示す。圧縮機１からの冷媒配管は、四方弁２を経由して室内熱交換器３に接続される。室内熱交換器３からの冷媒配管は電子膨張弁４を経由した後、三方弁１４に接続され、この三方弁１４から分岐された冷媒配管は、一方が石油冷媒加熱機７に接続され、他方が室外熱交換器８に接続される。石油冷媒加熱機７からの冷媒配管は、三方弁１５に接続され、この三方弁１５からから分岐された冷媒配管は、一方が圧縮機１に接続され、他方が三方弁１４からの配管と共に室外熱交換器８に接続される。室外熱交換器８からの冷媒配管は、四方弁２および逆止弁９を経由して圧縮機１に戻る。運転制御部１０は、外気温センサ１１からの外気温信号に応じて、運転制御を行う。
【００５３】
次に運転制御部１０の運転制御動作を説明する。装置起動後、まず冷媒が冷媒配管を実線矢印方向に流れるように四方弁２を設定し、三方弁１４を電子膨張弁４から石油冷媒加熱機７に冷媒が流れるように設定し、三方弁１５を石油冷媒加熱機７から室外熱交換器８に冷媒が流れるように設定する。そして石油冷媒加熱機７の燃焼用気化器はヒータによって予熱を開始する。石油冷媒加熱機７の燃焼用気化器の温度が設定温度に達すると、圧縮機１を運転し、燃料である灯油の着火が行われ、石油冷媒加熱による暖房運転を開始する。石油冷媒加熱機７の入口および出口の温度をセンサで検出し、石油冷媒加熱機７で蒸発した冷媒の過熱度が一定になるように、電子膨張弁４にて冷媒の流れを制御する。過熱度制御を開始した一定時間後に、三方弁１５を切り替え、石油冷媒加熱機７から圧縮機１に冷媒の流れを変えて、室外熱交換器８側を閉じる。このようにして本実施例では、起動時の冷媒回収運転を必要としない。
【００５４】
本実施の形態の空気調和装置では、暖房運転起動時、外気温に関係なく冷媒加熱運転を優先して立ち上げる。このとき、外気温センサ１１の示す外気温度が７℃以下では、冷媒加熱運転をそのまま継続する。一方、暖房運転を立ち上げたとき、すでに外気温度が７℃を越えている場合は、起動から一定時間後に冷媒加熱運転からヒートポンプ運転に切り替える。その運転切り替えは、圧縮機１の運転を継続したまま、石油冷媒加熱機７の燃焼を停止後、三方弁１４を切り替え、石油冷媒加熱機７側を閉じて、電子膨張弁４から室外熱交換器８側に冷媒を流す。室外熱交換器８の入口および出口の温度をセンサで検出し、室外熱交換器８で蒸発した冷媒の過熱度が一定になるように、電子膨張弁４にて冷媒の流量を制御する。
【００５５】
ヒートポンプ運転時に、着霜検出器（図示せず）にて室外熱交換器８の着霜を検出したら、三方弁１４を切り替え、電子膨張弁４から石油冷媒加熱機７側に冷媒を流し、石油燃焼を行う。同時に三方弁１５を石油冷媒加熱機７から室外熱交換器８に流れるように設定する。石油冷媒加熱機７にて加熱され蒸発した高温の冷媒は、着霜した室外熱交換器８を通り、除霜を行いながら圧縮機１に吸引される。電子膨張弁４は、石油冷媒加熱機７で蒸発した冷媒の過熱度が一定となるように、石油冷媒加熱機７の入口および出口の温度をセンサで検出して制御されるが、圧縮機１の入口での冷媒の液バック量をできるだけ小さくするため、過熱度設定温度は通常の冷媒加熱運転の場合より大きくする。この除霜運転の特徴は、除霜運転を行いながら連続暖房運転をできることである。除霜が終了したら、三方弁１４および１５を切り替え、通常のヒートポンプ運転に戻る。
【００５６】
外気温が低下し、５℃以下になった場合、ヒートポンプ運転から冷媒加熱運転に切り替える。その運転切り替えは、起動時の制御とほぼ同様である。すなわち、三方弁１４を電子膨張弁４から石油冷媒加熱機７側に冷媒を流すように切り替え、三方弁１５を石油冷媒加熱機７から室外熱交換器８側に冷媒が流れるように切り替える。
【００５７】
石油冷媒加熱機７の燃焼用気化器は、ヒートポンプ運転から冷媒加熱運転に切り替える前に予熱終了できるように、ヒータによる予熱を開始する。冷媒回路の切り替えが終了し、石油冷媒加熱機７の燃焼用気化器の温度が設定温度に達すると、燃料である灯油の着火が行われ、石油冷媒加熱による暖房運転を開始する。石油冷媒加熱機７の入口および出口の温度をセンサで検出し、石油冷媒加熱機７で蒸発した冷媒の過熱度が一定になるように、電子膨張弁４にて冷媒の流れを制御する。過熱度制御を開始した一定時間後に、三方弁１５を切り替え、石油冷媒加熱機７から圧縮機１に冷媒の流れを変えて、室外熱交換器８側を閉じる。このようにして本実施例では、運転切り替え時の冷媒回収運転を必要としない。このため、暖房能力の落ち込みが非常に小さく、快適性を向上できる。
【００５８】
本実施の形態では、暖房起動時に冷媒加熱運転を行うが、石油残量検出器（図示せず）が石油残量が少なくなったことを検出したときは、ヒートポンプ運転を行う。また、石油冷媒加熱機７に故障が生じ冷媒加熱運転を行うことが困難な場合は、緊急避難運転として強制的にヒートポンプ運転を行う。この場合、三方弁１４を切り替え、石油冷媒加熱機７側を閉じて、電子膨張弁４から室外熱交換器８側に冷媒を流す。同時に三方弁１５を切り替え、石油冷媒加熱機７と室外熱交換器８の間は閉じる。室外熱交換器８の入口および出口の温度をセンサで検出し、室外熱交換器８で蒸発した冷媒の過熱度が一定になるように、電子膨張弁４にて冷媒の流量を制御する。
【００５９】
強制運転指示は、リモコンあるいは室内機に備えたスイッチを操作することによって行う。低外気温度で高多湿時に、室外熱交換器８に着霜が生じた場合の除霜は、四方弁２を反転させて高温の圧縮機吐出ガスを室外熱交換器８の入口に戻す除霜運転を行う。
【００６０】
次に第３の実施の形態について説明する。
本実施の形態では、外気温のみならず、空調に必要とされる暖房能力に応じてヒートポンプ運転または冷媒加熱運転のどちらか一方を選択して運転制御することを特徴としている。なお、本実施の形態におけるサイクル構成は図１に示すものと同一であるので、その構成の説明を省略すると共に、その作用につき図５を用いて説明する。
【００６１】
図５は、横軸が外気温度（℃）を、縦軸が空調に必要とする暖房能力（ｋＷ）を示し、外気温と暖房能力に応じてヒートポンプ運転または冷媒加熱運転のどちらを選択して運転制御を行うことを示す説明図である。
【００６２】
本実施の形態の空気調和装置では、暖房運転起動時、外気温に関係なく冷媒加熱運転を優先して立ち上げる。このとき、例えば、外気温が４℃の場合で、空調に必要とされる暖房能力が最大のＱmaxであると判断されたとき、図５に示すように、暖房能力はＱ１よりも大きいので、暖房能力Ｑmaxによる冷媒加熱運転を行う。空調に必要とする暖房能力は部屋から検出される室温と設定温度との差に基づいて求められる。すなわち、室温と設定温度との差が大きい場合は、必要とする暖房能力が高く設定される。ここで、暖房能力Ｑmaxを得るには、石油燃焼量を制御することで行われる。
【００６３】
外気温が４℃のまま、冷媒加熱運転を継続した後、部屋の温度が上昇して必要とされる暖房能力が徐々に減少し、Ｑ１より下回るときはヒートポンプ運転に切り替える。このとき、ヒートポンプ運転での暖房能力は圧縮機１に接続されるインバータ電源（図示省略）の制御周波数により、圧縮機１の回転数を制御することで行われる。そして、ヒートポンプ運転を継続中に部屋のドアを開ける等して部屋の温度が急激に下がり、空調を必要とする暖房能力がＱ２を越えると再び冷媒加熱運転に切り替えて運転制御を行う。
【００６４】
また、暖房運転起動時、冷媒加熱運転で立ち上げたとき、外気温が４℃の場合で、部屋から検出される温度が設定温度に近く、空調に必要とされる暖房能力が低く、必要とする暖房能力がＱ１よりも小さい場合は、一定時間後にヒートポンプ運転に切り替えるように制御される。
【００６５】
一方、暖房運転時において、外気温が４℃から下がって−１℃を下回った場合は、図５に示すように冷媒加熱運転に切り替えて運転制御すると共に、その後上昇して３℃を越える場合は、再びヒートポンプ運転に切り替えて運転するように制御する。
【００６６】
ここで、必要とする暖房能力に応じてヒートポンプ運転と冷媒加熱運転を切り替えるのは、ヒートポンプ運転では約０．７〜６．０ｋＷの可変幅、冷媒加熱運転では約２．５〜６．６ｋＷの可変幅と、ヒートポンプ運転の方が暖房能力を可変できる範囲が広く、特に、低い暖房能力域では、可変幅の広いヒートポンプ運転を選択すると運転効率が良くなり、しかも暖房の快適性を高めることができる。
【００６７】
ところで、本実施の形態では、図６に示すように、空調に必要とする暖房能力（以下、要求能力という）が低く、Ｑ１を下回る場合は、ヒートポンプ運転を行う。その後、要求能力が上昇してＱ２を越えた時点で、ヒートポンプ運転から冷媒加熱運転に切り替える。この冷媒加熱運転に入った後は、要求能力がＱ１を下回るまで、ヒートポンプ運転に入らないようにしている。したがって、要求能力の上昇時と下降時とで運転の切り替え能力を変えているので、制御の安定性と快適性を向上させることができる。
【００６８】
このように、外気温のみならず、空調に必要とする暖房能力に応じてヒートポンプ運転と冷媒加熱運転を切り替えて運転制御するので、暖房ランニングコストを低減しつつ、快適性を向上できる。
【００６９】
また、本実施の形態では、図５に示すように外気温度または暖房能力の切替点をそれぞれ３通りづつ設定し、特に、室外熱交換器に着霜が生じやすく、かつヒートポンプ運転の効率が悪くなる外気温の低い領域では冷媒加熱運転の比率を高めるように設定してあるので、きめの細かな室温制御を行え、暖房の快適性を大幅に向上できる。
【００７０】
【発明の効果】
以上説明した通り、本発明の請求項１に記載の空気調和装置は、外気温センサからの外気温信号に応じて、ヒートポンプ運転と冷媒加熱運転とを切り替えるので、低外気温時の高暖房能力の実現および暖房時のランニングコストを低減し、かつ快適性を向上できると共に、運転時に応じて冷媒の流路を切り替えるので、装置の配管を簡素化でき、運転制御の安定性を向上する。
【００７３】
また、第１の開閉弁と第２の開閉弁による開又は閉による組合せ制御によって、冷媒を室内機側に回収した後、又は石油加熱機の燃焼停止後にヒートポンプ運転から冷媒加熱運転に切り替えるので、簡素な配管で冷媒を確保して運転切り替えでき、冷凍サイクルの安定性を向上できる。
【００７７】
本発明の請求項２に記載の空気調和装置は、着霜を検出した際、除霜運転を行うので、室外熱交換器の着霜を解消でき、安定したヒートポンプ運転を行うことができる。また、ヒートポンプ運転時に着霜を検出した場合でも、室外熱交換器と石油冷媒加熱機とを直列接続として、除霜運転を行うので、室外熱交換器に着霜したときでも、連続暖房運転によって、暖房快適性を維持しながら除霜できる。
【００７９】
本発明の請求項３に記載の空気調和装置は、石油冷媒加熱機から室外熱交換器に冷媒を流して冷媒加熱運転を行った後、石油冷媒加熱機から直接圧縮機に冷媒を流すことによってヒートポンプ運転から冷媒加熱運転に切り替えるので、冷媒回収をせずに運転の切り替えができ、暖房快適性を向上する。
【図面の簡単な説明】
【図１】本発明の空気調和装置に係る第１の実施の形態を示す構成図である。
【図２】外気温度に対する暖房運転費の一例を示す図である。
【図３】外気温度の上昇時と下降時とで運転の切り替え温度を示す図である。
【図４】本発明の空気調和装置に係る第２の実施の形態を示す構成図である。
【図５】本発明の空気調和装置に係る第３の実施の形態を示す作用説明図である。
【図６】暖房能力の上昇時と下降時とで運転を切り替える説明図である。
【符号の説明】
１…圧縮機，２…四方弁，３…室内熱交換器，４…電子膨張弁，５…二方弁，６…二方弁，７…石油冷媒加熱機，８…室外熱交換器，９…逆止弁，１０…運転制御部，１１…外気温センサ，１２…キャピラリチューブ，１３…二方弁，１４…三方弁，１５…三方弁。
【図１】
0004046828.tif 000002
【図２】
0004046828.tif 000003
【図３】
0004046828.tif 000004
【図４】
0004046828.tif 000005
【図５】
0004046828.tif 000006
【図６】
0004046828.tif 000007